Podtech/llm-jp-corpus-v4-ja_patent huggingface dataset:
【手続補正書】
【提出日】平成19年8月15日(2007.8.15)
【手続補正１】
【補正対象書類名】明細書
【補正対象項目名】特許請求の範囲
【補正方法】変更
【補正の内容】
【特許請求の範囲】
【請求項１】  ｉ）式（Ｉ）：
【化１】
2003512647.tif 000001
［式中、Ｒ1およびＲ2は各々独立して水素もしくはＣ1−Ｃ4アルキル基を表すかまたは一緒になって場合により置換されていてもよいＣ1−Ｃ4アルキレン基もしくはシクロアルキレン基を表す］
に従うポリチオフェンを含んでなる層を基質に付与し、そして
（ii）該層を機械的に液晶整列させる
段階を含んでなる液晶整列層の製造方法。
【請求項２】  請求項１に記載の方法により得られうる液晶整列層。
【請求項３】  各々が上部に電極を有する一対の基質および該基質の間に配置された液晶を含んでなる液晶装置であって、該基質の少なくとも１つに請求項２に記載の液晶整列層を含んでなる層系が付与されている装置。
【請求項４】  請求項２に記載の液晶整列層または請求項３に記載の液晶装置を含んでなる液晶ディスプレイ。
【請求項５】  液晶を整列させるための、式（Ｉ）：
【化２】
2003512647.tif 000002
［式中、Ｒ1およびＲ2は各々独立して水素もしくはＣ1−Ｃ4アルキル基を表すかまたは一緒になって場合により置換されていてもよいＣ1−Ｃ4アルキレン基もしくはシクロアルキレン基を表す］
に従うポリチオフェンの使用方法。
【手続補正２】
【補正対象書類名】明細書
【補正対象項目名】００６３
【補正方法】変更
【補正の内容】
【００６３】
駆動電圧を上記のセルに背景光の前部でかけることにより、区分間の混乱なしに（鋭利に）５区分を切り換えることができたことが示された。ＴＮ材料の良好な通常は白色の配向が酸化されなかったポリチオフェン領域で得られた。
本発明の好適な実施の態様は次のとおりである。
１．  ｉ）式（Ｉ）：
【化１】
2003512647.tif 000003
［式中、Ｒ1およびＲ2は各々独立して水素もしくはＣ1−Ｃ4アルキル基を表すかまたは一緒になって場合により置換されていてもよいＣ1−Ｃ4アルキレン基もしくはシクロアルキレン基を表す］
に従うポリチオフェンを含んでなる層を基質に付与し、そして
（ii）該層を機械的に液晶整列させる
段階を含んでなる液晶整列層の製造方法。
２．  式（Ｉ）に従う該ポリチオフェンがポリ（３,４−エチレンジオキシ−チオフェン）である、上記１に記載の方法。
３．  該層がポリアニオンをさらに含んでなる、上記１または２に記載の方法。
４．  上記１〜３のいずれかに記載の方法により得られうる液晶整列層。
５．  １０5Ω／□より低い表面抵抗率を有する上記４に記載の液晶整列層。
６．  該液晶整列層が伝導性および非伝導性領域よりなるパターン化された層である、上記４または５に記載の液晶整列層。
７．  該液晶整列層が非伝導性領域で除去されない、上記４または５に記載の液晶整列層。
８．  各々が上部に電極を有する一対の基質および該基質の間に配置された液晶を含んでなる液晶装置であって、該基質の少なくとも１つに上記４〜７のいずれかに記載の液晶整列層を含んでなる層系が付与されている装置。
９．  該基質の各々が本質的にポリ（エチレンテレフタレート）、ポリ（エチレンナフタレート）、ポリカーボネート、ポリジシクロペンタジエン、ポリ（エーテルスルホン）、ガラスおよびガラス／プラスチックラミネートよりなる群から選択される材料よりなる、上記８に記載の液晶装置。
１０．  該基質の各々に電気伝導性層が付与される、上記８または９に記載の液晶装置。
１１．  該電気伝導性層が該基質の少なくとも１つの上に、酸化錫インジウム層を含んでなる、上記１０に記載の液晶装置。
１２．  該基質の少なくとも１つと該液晶整列層との間に不動態化固定層が付与される、上記８〜１１のいずれかに記載の液晶装置。
１３．  該基質に障壁層が付与される、上記８〜１１のいずれかに記載の液晶装置。
１４．  上記４〜７のいずれかに記載の液晶整列層または上記８〜１３のいずれかに記載の液晶装置を含んでなる液晶ディスプレイ。
１５．  液晶を整列させるための、式（Ｉ）：
【化２】
2003512647.tif 000004
［式中、Ｒ1およびＲ2は各々独立して水素もしくはＣ1−Ｃ4アルキル基を表すかまたは一緒になって場合により置換されていてもよいＣ1−Ｃ4アルキレン基もしくはシクロアルキレン基を表す］
に従うポリチオフェンの使用。
１６．  式（Ｉ）に従う該ポリチオフェンが電気伝導性を示す、上記１５に記載の使用。
【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】  交感神経により持続される末梢神経障害性疼痛症候群を緩和するために適切であり、クロニジン、水および水−ゲル化量の医薬的に許容されるゲル化剤を含む局所用水性ゲルであって、生理学的に許容されるｐＨ値を有する、前記局所用水性ゲル。
【請求項２】  ゲルの重量に対してクロニジンが約０．０１から約０．５重量％の範囲の量で存在する請求項１に記載の局所用水性ゲル。
【請求項３】  ゲルの重量に対してクロニジンが約０．０１から約０．２５重量％の範囲の量で存在する請求項１に記載の局所用水性ゲル。
【請求項４】  ゲルの重量に対してクロニジンが約０．０１から約０．０７５重量％の範囲の量で存在する請求項１に記載の局所用水性ゲル。
【請求項５】  ゲルのｐＨ値が約４から約９の範囲内である請求項１に記載の局所用水性ゲル。
【請求項６】  ゲルのｐＨ値が約６から約８．５の範囲内である請求項１に記載の局所用水性ゲル。
【請求項７】  ゲルのｐＨ値が約８である請求項１に記載の局所用水性ゲル。
【請求項８】  防腐剤をさらに含む請求項１に記載の局所用水性ゲル。
【請求項９】  防腐剤がベンジルアルコールである請求項８に記載の局所用水性ゲル。
【請求項１０】  防腐剤がパラベン化合物である請求項８に記載の局所用水性ゲル。
【請求項１１】  防腐剤がフェノキシエタノールである請求項８に記載の局所用水性ゲル。
【請求項１２】  局所麻酔剤をさらに含む請求項１に記載の局所用水性ゲル。
【請求項１３】  局所麻酔剤がリドカインである請求項１２に記載の局所用水性ゲル。
【請求項１４】  ゲル化剤がカルボマーである請求項１に記載の局所用水性ゲル。
【請求項１５】  ポリアクリル酸グリセリンをゲル化剤の副次部分としてさらに含む請求項１４に記載の局所用水性ゲル。
【請求項１６】  ゲル化剤がポリアクリル酸グリセリンである請求項１に記載の局所用水性ゲル。
【請求項１７】  多価アルコールおよびポリグリセロールからなる群から選択される皮膚保湿補助剤をさらに含む請求項１に記載の局所用水性ゲル。
【請求項１８】  クロニジンの少なくとも一部が塩酸クロニジンとして存在する請求項１に記載の局所用水性ゲル。
【請求項１９】  クロニジンが塩酸クロニジンおよびクロニジン遊離塩基として存在する請求項１に記載の局所用水性ゲル。
【請求項２０】  交感神経により持続される末梢神経障害性疼痛症候群を緩和するための方法であって、クロニジン、水−ゲル化量の医薬的に許容されるゲル化剤を含む、疼痛緩和量の水性ゲルをこのような疼痛を有する患者の患部領域に局所的に塗布すること含み、前記水性ゲルは生理学的に許容されるｐＨ値を有する、前記方法。
【請求項２１】  少なくとも１日１回水性ゲルを塗布する請求項２０に記載の方法。
【請求項２２】  １日に２〜４回水性ゲルを塗布する請求項２０に記載の方法。
【請求項２３】  クロニジンの塗布量が１日当たり約０．１ミリグラムから１日当たり約６ミリグラムの範囲内である請求項２０に記載の方法。
【請求項２４】  患部領域に塗布した後に水性ゲルを擦り込む請求項２０に記載の方法。
【請求項２５】  塗布される水性ゲル量が１ｍｌ当たり約０．２ナノグラム以下のクロニジンの血漿濃度が生じるのに十分である請求項２０に記載の方法。
【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】
患者の双極性気分障害における躁病を治療するための薬剤の製造における、治療的に有効な量の下記の構造を有する化合物、そのラセミ混合物、エナンチオマー、またはその塩の使用：
【化１】
2003512426.tif 000001
ここで、ｎは0または1であり；
Ｒ1およびＲ2の夫々は水素、Ｃ1〜Ｃ4アルキル、またはハロゲンであり；
Ｒ3は水素、Ｃ1〜Ｃ4アルキル、ヒドロキシ、またはＣ1〜Ｃ4アルコキシであり；
Ｒ4は水素、またはＣ1〜Ｃ4アルキルであり；
Ｒ6は水素、置換もしくは非置換のＣ1〜Ｃ12アルキル、Ｃ6〜Ｃ12アリール、Ｃ7〜Ｃ12アラルキル、またはＡ−Ｎ−Ｒ9Ｒ10であり（但しＲ1、Ｒ2、Ｒ3およびＲ4が水素原子であるとき、Ｒ6はメチルではない）；
ここで、Ａは置換もしくは非置換のＣ1〜Ｃ12アルキル、置換もしくは非置換
のＣ6〜Ｃ12アリール、または置換もしくは非置換のＣ7〜Ｃ12アラルキルであり、
Ｒ9およびＲ10の夫々は独立に水素、Ｃ1〜Ｃ12アルキル、Ｃ6〜Ｃ12アリール、
Ｃ7〜Ｃ12アラルキル、ＣＯＯｔＢｕ、またはインダニルである。
【請求項２】
患者の双極性気分障害における躁病を治療するための、（rac）−Ｎ−（２−アミノアセチル）−１−アミノインダンＨＣｌ、（R）−Ｎ−アセチルアミノインダン、（R）−Ｎ−アセチルアミノインダンの塩、および（S）−Ｎ−ホルミルアミノインダンからなる群より選択される化合物の使用。
【請求項３】
請求項１または２に記載の使用であって、前記患者はヒトである使用。
【請求項４】
請求項１または２に記載の使用であって、前記化合物は、塩酸塩、メタンスルホン酸塩、エチルスルホン酸塩、および硫酸塩からなる群から選択される使用。
【請求項５】
請求項４に記載の使用であって、前記塩は塩酸塩である使用。
【請求項６】
請求項１または２に記載の使用であって、前記化合物は、経口投与、腹腔内投与、非経腸的投与、局所投与、経皮投与、直腸投与、鼻腔内投与、またはバッカル投与により投与される使用。
【請求項７】
請求項１または２に記載の使用であって、前記治療的有効量は30 mg/kg〜150 mg/kgである使用。
【請求項８】
請求項７に記載の使用であって、前記治療的有効量は30 mg/kg〜100 mg/kgである使用。
【請求項９】
請求項８に記載の使用であって、前記治療的有効量は30 mg/kg〜75 mg/kgである使用。
【請求項１０】
請求項２に記載の使用であって、前記化合物は、（rac）−Ｎ−（２−アミノアセチル）−１−アミノインダンＨＣｌであるか；または
前記化合物は、（S）−Ｎ−ホルミルアミノインダンもしくは（S）−Ｎ−ホルミルアミノインダンの塩であるか；または
前記化合物は、（R）−Ｎ−アセチルアミノインダンもしくは（R）−Ｎ−アセチルアミノインダンの塩である使用。
【請求項１１】
請求項１０に記載の使用であって、前記化合物は、塩酸塩、メタンスルホン酸塩、エチルスルホン酸塩、および硫酸塩からなる群から選択される塩である使用。
【請求項１２】
請求項１１に記載の使用であって、前記塩は塩酸塩である使用。
【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】
（２Ｒ，シス）−４−アミノ−１−（２−ヒドロキシメチル−１，３−オキサチオラン−５−イル）−ピリミジン−２−オンまたは該化合物の製薬上許容される誘導体ならびにＢＭＳ−２００４７５または該化合物の製薬上許容される誘導体を含む複合薬において、（２Ｒ，シス）−４−アミノ−１−（２−ヒドロキシメチル−１，３−オキサチオラン−５−イル）−ピリミジン−２−オンおよびＢＭＳ−２００４７５が、重量比で２００：１〜１：１の範囲で存在することを特徴とする複合薬。 
【請求項２】
前記の比が、有効成分の重量比で１５０：１〜１０：１の範囲である請求項１に記載の複合薬。
【請求項３】
医薬品で使用される請求項１ないし２のいずれかに記載の複合薬。
【請求項４】
１以上の製薬上許容される担体とともに請求項１ないし３のいずれかに記載の複合薬を含む医薬製剤。
【請求項５】
単位製剤での請求項４に記載の製剤。
【請求項６】
経口投与に好適な請求項４ないし５のいずれかに記載の製剤。
【請求項７】
ラミブジン２５〜１５０ｍｇおよびＢＭＳ−２００４７５  ０．５〜２０ｍｇを含む請求項４ないし６のいずれかに記載の製剤。
【請求項８】
ラミブジン１００ｍｇおよびＢＭＳ−２００４７５  １〜５ｍｇを含む請求項７に記載の製剤。
【請求項９】
ＨＢＶ感染の治療のために、ＢＭＳ−２００４７５と同時または順次投与する医薬品の製造における（２Ｒ，シス）−４−アミノ−１−（２−ヒドロキシメチル−１，３−オキサチオラン−５−イル）−ピリミジン−２−オンの使用。
【請求項１０】
ＨＢＶ感染の治療のために、（２Ｒ，シス）−４−アミノ−１−（２−ヒドロキシメチル−１，３−オキサチオラン−５−イル）−（１Ｈ）−ピリミジン−２−オンと同時または順次投与する医薬品の製造におけるＢＭＳ−２００４７５の使用。
【請求項１１】
（２Ｒ，シス）−４−アミノ−１−（２−ヒドロキシメチル−１，３−オキサチオラン−５−イル）−ピリミジン−２−オンおよびＢＭＳ−２００４７５から選択される少なくとも１種類の有効成分ならびに併用される両方の有効成分の使用に関する説明が盛り込まれた添付文書が入った患者パック。
【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】
明細書にて定義される式Ｉ、ＩＩ、ＩＩＩ、ＩＩＩａ、ＩＶ、ＩＶａ、Ｖ、ＶＩ、ＶＩａ、ＶＩＩ、ＶＩＩＩ、ＩＸ、ＩＸａ、ＩＸｂ、ＩＸｃ、ＩＸｄ、Ｘ、ＸＩ又はＸＩＩの何れか一つで表される化合物。
【請求項２】
式ＩＩＩａ又は式ＩＸｃの何れか一つで表される化合物である、請求項１に記載の化合物。
【請求項３】
式ＩＸｃで表される化合物である、請求項１に記載の化合物。
【請求項４】
ＴＦ／ＶＩＩａ依存性第Ｘ因子活性化を測定するための標準的なアッセイで約１００μＭ未満のＩＣ５０を示す、請求項１〜３のいずれか１項に記載の化合物。
【請求項５】
ＴＦ／ＶＩＩａ依存性第ＩＸ因子活性化を測定するための標準的なアッセイで約２００μＭ又はそれ未満のＩＣ５０を示す、請求項１〜３のいずれか１項に記載の方法。
【請求項６】
次式で表される化合物の何れか一つの化合物である、請求項１に記載の化合物：
2003512423.tif 000001
【請求項７】
次式で表される化合物の何れか一つの化合物である、請求項１に記載の化合物：
2003512423.tif 000002
【請求項８】
請求項１〜７の何れかに記載の化合物及び、担体、賦形剤又は安定化剤を含む薬学的組成物。
【請求項９】
心血管疾患、血液凝固疾患、細胞増殖疾患、術後合併症、免疫疾患、アテローム性動脈硬化症、炎症又は癌を患い易いか、あるいは患っている哺乳動物を治療するための、明細書にて定義される式Ｉ、ＩＩ、ＩＩＩ、ＩＩＩａ、ＩＶ、ＩＶａ、Ｖ、ＶＩ、ＶＩａ、ＶＩＩ、ＶＩＩＩ、ＩＸ、ＩＸａ、ＩＸｂ、ＩＸｃ、ＩＸｄ、Ｘ、ＸＩ又はＸＩＩの何れか一つで表される化合物を含む組成物。
【請求項１０】
哺乳動物において血液凝固を阻害するための、明細書中にて定義される式Ｉ、ＩＩ、ＩＩＩ、ＩＩＩａ、ＩＶ、ＩＶａ、Ｖ、ＶＩ、ＶＩａ、ＶＩＩ、ＶＩＩＩ、ＩＸ、ＩＸａ、ＩＸｂ、ＩＸｃ、ＩＸｄ、Ｘ、ＸＩ又はＸＩＩの何れか一つで表される化合物を含む組成物。
【請求項１１】
上記哺乳動物が血栓症、侵襲的医療方法に関連した再狭窄、血栓溶解剤の使用に関連した血栓塞栓状態、感染症又新生物疾患を患っているか、患い易いか、又は回復中である、請求項１０に記載の組成物
【請求項１２】
第Ｘ因子又は第ＩＸ因子と組織因子又はＴＦ／ＶＩＩａとの活性化又は機能的複合体の形成を阻害するための、明細書中にて定義される式Ｉ、ＩＩ、ＩＩＩ、ＩＩＩａ、ＩＶ、ＩＶａ、Ｖ、ＶＩ、ＶＩａ、ＶＩＩ、ＶＩＩＩ、ＩＸ、ＩＸａ、ＩＸｂ、ＩＸｃ、ＩＸｄ、Ｘ、ＸＩ又はＸＩＩの何れか一つで表される化合物を含む組成物。
【請求項１３】
化合物が式ＩＩＩａ又は式ＩＸｃの何れか一つで表される化合物である、請求項９〜１２のいずれかに記載の組成物。
【請求項１４】
化合物が式ＩＸｃで表される化合物である、請求項９〜１２のいずれかに記載の組成物。
【請求項１５】
次式で表される化合物の何れか一つの化合物である、請求項９に記載の組成物。
2003512423.tif 000003
【請求項１６】
次式で表される化合物の何れか一つの化合物である、請求項１０〜１２のいずれかに記載の組成物。
2003512423.tif 000004
【請求項１７】
次式で表される化合物の何れか一つの化合物である、請求項９〜１２のいずれかに記載の組成物。
2003512423.tif 000005
【請求項１８】
哺乳動物がヒトである、請求項９〜１１の何れかに記載の組成物。
【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2003512419.tif 000001
（式中、
Ｒ1は直鎖状または分枝鎖状のＣ1〜Ｃ8−アルキルまたはフェニル−(ＣＨ2)m−であり、ｍは０、１または２であり、フェニル核は非置換または基Ｆ、Ｃｌ、ＣＨ3またはＣＨ3Ｏからの１〜３個の置換基を有し、
Ｒ2およびＲ3は直鎖状もしくは分枝鎖状のＣ1〜Ｃ6−アルキルまたはフェニルであり、フェニル核は非置換または基Ｆ、Ｃｌ、ＣＨ3もしくはＣＨ3Ｏからの１〜３個の置換基を有するか、または
Ｒ2およびＲ3は両者で (Ｃ5〜Ｃ6) 環を形成することができ、これは非置換であるかまたはフェニル環が縮合している）
で表される化合物またはその医薬的に許容し得る塩の、虚血状態によって引き起こされる疾患の治療または予防用医薬の製造のための使用。
【請求項２】  心筋梗塞の治療または予防用医薬の製造のための請求項１記載の使用。
【請求項３】  狭心症の治療または予防用医薬の製造のための請求項１記載の使用。
【請求項４】  心臓の虚血状態の治療または予防用医薬の製造のための請求項１記載の使用。
【請求項５】  末梢および中枢神経系の虚血状態ならびに卒中の治療または予防用医薬の製造のための請求項１記載の使用。
【請求項６】  末梢臓器および四肢の虚血状態の治療または予防用医薬の製造のための請求項１記載の使用。
【請求項７】  ショック状態の治療用医薬の製造のための請求項１記載の使用。
【請求項８】  外科手術ならびに臓器移植に使用される医薬の製造のための請求項１記載の使用。
【請求項９】  移植または外科的材料の防腐用または保存用医薬の製造のための請求項１記載の使用。
【手続補正書】
【提出日】平成19年7月27日(2007.7.27)
【手続補正１】
【補正対象書類名】明細書
【補正対象項目名】特許請求の範囲
【補正方法】変更
【補正の内容】
【特許請求の範囲】
【請求項１】  化粧品スキンケア組成物であって、
（ｉ）０．００００１〜１０重量％の量のレスベラトロール、
（ｉｉ）レチノイン酸、レチノール、酢酸レチニル及びリノール酸レチニルから選択されたレチノイドを０．００１〜１０重量％、および
（ｉｉｉ）化粧品的に許容されるビヒクル
を含む、前記組成物。
【請求項２】  レスベラトロールが、組成物の０．０００１〜５重量％の量で存在する、請求項１記載の化粧品スキンケア組成物。
【請求項３】  しわが寄った、乾燥した、はげた、老化した又は光損傷した皮膚の外観を改善し、皮膚厚さ、弾性、柔軟性及びふくよかさを改善する化粧方法であって、皮膚に請求項１〜２の何れか１項記載の組成物を適用することを含む方法。
【請求項４】  皮膚内の細胞レチノイン酸結合タンパク質のレベルを増加させる化粧方法であって、皮膚に請求項１〜２の何れか１項記載の組成物を適用することを含む方法。
【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】  慢性および／または消耗性疾患を有する患者の一般状態を改善するための医薬の製造におけるパルボウイルスの使用であって、該一般状態が、遺伝子毒性剤を用いて行なわれる治療に基づいて改善され、遺伝子毒性剤を用いて行なわれる治療において生じる副作用がパルボウイルスの投与により低減される、パルボウイルスの使用。
【請求項２】  用いるパルボウイルスがアデノ随伴ウイルスである請求項１記載の使用。
【請求項３】  アデノ随伴ウイルスがＡＡＶ−２ウイルスである請求項２記載の使用。
【請求項４】  パルボウイルスを１０9 〜１０10粒子／ｋｇ体重の用量で使用する請求項１〜３いずれか記載の使用。
【請求項５】  該疾患が腫瘍性疾患である請求項１〜４いずれか記載の使用。
【請求項６】  パルボウイルスを静脈内、経皮、経口、腹腔内、動脈内または腫瘍内に投与する請求項１〜５いずれか記載の使用。
【請求項７】  パルボウイルスを、遺伝子毒性剤を用いて行なわれる治療の前または同時に投与する請求項１〜６いずれか記載の使用。
【請求項８】  遺伝子毒性剤が、化学療法および／または放射線療法、遺伝子治療もしくは免疫療法に基づいて投与される請求項１〜７いずれか記載の使用。
【請求項９】  遺伝子毒性剤およびパルボウイルスを含んでなる医薬組成物。
【請求項１０】  注射もしくは注入用溶液、エーロゾルスプレーまたは軟膏である請求項９記載の医薬組成物。
【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】  一種以上の賦形剤並びにアンドロスタ−５−エン−３β，１７β−ジオール、１６α−ブロモエピアンドロステロン、５α−アンドロスタン−３β，１６α，１７β−トリオール、５α−アンドロスタン−３α，１６β，１７β−トリオール、５α−アンドロスタン−３α，１６β，１７β−トリオール及び５α−アンドロスタン−３β，１６β，１７β−トリオールからなる群から選択される化合物を含む、好中球減少症又は血小板減少症の予防又は治療用の医薬組成物であって、筋肉内又は皮下注射投与用であり、約１０ｍｇ、２５ｍｇ、５０ｍｇ、２００ｍｇ又は３００ｍｇの上記化合物を含む、上記医薬組成物。
【請求項２】  約５０ｍｇ、１００ｍｇ、２００ｍｇ又は３００ｍｇのアンドロスタ−５−エン−３β，１７β−ジオール又は１６α−ブロモエピアンドロステロンを含む、請求項１に記載の医薬組成物。
【請求項３】  アンドロスタ−５−エン−３β，１７β−ジオールの無菌水性懸濁液の形態にある、請求項２に記載の医薬組成物。
【請求項４】  血小板減少症が、感染症、自己免疫応答、免疫性血小板減少性紫斑病、血栓性血小板減少性紫斑病、輸血後紫斑病、放射線被ばく、組織若しくは臓器移植、腎不全又は腎不全の治療に関連するものである、請求項３に記載の医薬組成物。
【請求項５】  血小板減少症が放射線被ばくに関連するものである、請求項４に記載の医薬組成物。
【請求項６】  好中球減少症が、感染症、自己免疫応答、放射線被ばく、組織若しくは臓器移植、腎不全、又は腎不全の治療に関連するものである、請求項３に記載の医薬組成物。
【請求項７】  好中球減少症が放射線被ばくに関連するものである、請求項６に記載の医薬組成物。
【請求項８】  １６α−ブロモエピアンドロステロンの無菌溶液又は懸濁液の形態にある、請求項２に記載の医薬組成物。
【請求項９】  血小板減少症が、感染症、自己免疫応答、免疫性血小板減少性紫斑病、血栓性血小板減少性紫斑病、輸血後紫斑病、放射線被ばく、組織若しくは臓器移植、腎不全又は腎不全の治療に関連するものである、請求項８に記載の医薬組成物。
【請求項１０】  血小板減少症が感染症又は放射線被ばくに関連するものである、請求項９に記載の医薬組成物。
【請求項１１】  好中球減少症が、感染症、自己免疫応答、放射線被ばく、化学療法、組織若しくは臓器移植、腎不全、又は腎不全の治療に関連するものである、請求項６に記載の医薬組成物。
【請求項１２】  好中球減少症が感染症、放射線被ばくに関連するものである、請求項６に記載の医薬組成物。
【請求項１３】  一種以上の賦形剤及び式：
【化１】
2003512474.tif 000001
（式中、一のＲ２は−ＯＨ、エステル又はエーテルであり、他のＲ２は−Ｈ、任意に置換されたアルキル又はＣ２−３０アルキニルであり；
一のＲ３は−Ｈ、−ＯＨ、エステル又はエーテルであり、他のＲ３は−Ｈ、任意に置換されたアルキル又はＣ２−３０アルキニルであり；
一のＲ４は−ＯＨ、エステル又はエーテルであり、他のＲ４はＣ２−３０アルキニルであり；
Ｒ５は−ＣＨ３又は−ＣＨ２ＯＨであり；
Ｒ６は−Ｈ又は−ＣＨ３であり；かつ
Ｒ７は−ＣＨ２−又は−ＣＨ（ＯＨ）−である。）
で表される構造を有する化合物を含む、好中球減少症又は血小板減少症の予防又は治療のための医薬組成物。
【請求項１４】  化合物が式：
【化２】
2003512474.tif 000002
の構造を有する、請求項１１の医薬組成物。
【請求項１５】  化合物が式：
【化３】
2003512474.tif 000003
の構造を有する、請求項１５の医薬組成物。
【手続補正書】
【提出日】平成19年10月16日(2007.10.16)
【手続補正１】
【補正対象書類名】明細書
【補正対象項目名】特許請求の範囲
【補正方法】変更
【補正の内容】
【特許請求の範囲】
【請求項１】  硬質被膜の形成に有用なコーティング溶液であって、
a)溶媒；
b)溶液中に実質上均一に分散させた、１ナノメートル〜100ナノメートルのサイズを有する無機粒子；
c)溶液中に実質上均一に分散させた無機金属塩表面改質剤、この改質剤の質量パーセントはb)およびc)の合計質量の１パーセント〜30パーセントを構成する；および
d)溶液中に実質上均一に分散させた有機架橋剤、ここでb)およびc)は合わせてb)、c)およびd)の少なくとも約30質量パーセントを構成する、
を含む溶液。
【請求項２】  前記溶媒が水である、請求項１に記載の溶液。
【請求項３】  前記無機粒子が、金属酸化物表面を有する粒子および金属水酸化物表面を有する粒子より成る群から選ばれる、請求項１に記載の溶液。
【請求項４】  前記無機粒子がシリカ、アルミナ、水酸化アルミニウム、セリア、チタニア、およびジルコニアより成る群から選ばれる、請求項１に記載の溶液。
【請求項５】  前記無機表面改質剤が塩化アルミニウム、オキシ塩化アルミニウム、および塩化錫より成る群から選ばれる、請求項１に記載の溶液。
【請求項６】  前記無機表面改質剤がヒドロキシ含有モノマーおよびヒドロキシ含有オリゴマーより成る群から選ばれる、請求項１に記載の溶液。
【請求項７】  前記有機架橋剤がヒドロキシ官能化シラノール、酸加水分解されたエポキシ、およびエトキシド含有アクリレート、ウレタン、およびエポキシより成る群から選ばれる、請求項１に記載の溶液。
【請求項８】  前記無機粒子が１ナノメートル〜50ナノメートルのサイズを有する、請求項１に記載の溶液。
【請求項９】  前記無機粒子が１ナノメートル〜40ナノメートルのサイズを有する、請求項１に記載の溶液。
【請求項１０】  前記無機粒子が１ナノメートル〜30ナノメートルのサイズを有する、請求項１に記載の溶液。
【請求項１１】  前記無機表面改質剤が前記溶媒に可溶である、請求項１に記載の溶液。
【請求項１２】  前記有機架橋剤が前記溶媒に可溶である、請求項１に記載の溶液。
【請求項１３】  前記溶媒が反応性溶媒である、請求項１に記載の溶液。
【請求項１４】  前記改質剤の質量パーセントがb)およびc)の合計質量の１パーセント〜20パーセントを構成する、請求項１に記載の溶液。
【請求項１５】  硬質被膜の形成に有用なコーティング組成物であって、
a)組成物に実質上均一に分散させた無機粒子、この粒子は１ナノメートル〜100ナノメートルのサイズを有し、当該無機粒子はこの組成物体積の30容量パーセント〜70容量パーセントを構成する；
b)組成物に実質上均一に分散させた無機金属塩改質剤微粒子、この無機改質剤微粒子は、当該無機粒子のサイズに比して１：50〜１：２のサイズ比を有し、当該改質剤微粒子は、この組成物体積の１容量パーセント〜20容量パーセントを構成する；および
c)組成物体積の10容量パーセント〜70容量パーセントを構成する架橋した有機成分、
を含む組成物。
【請求項１６】  前記無機粒子がこの組成物体積の40容量パーセント〜70容量パーセントを構成する、請求項１５に記載の組成物。
【請求項１７】  前記架橋した有機成分がこの組成物体積の10容量パーセント〜50容量パーセントを構成する、請求項１５に記載の組成物。
【請求項１８】  前記無機粒子が１ナノメートル〜50ナノメートルのサイズを有する、請求項１５に記載の組成物。
【請求項１９】  前記無機粒子が１ナノメートル〜40ナノメートルのサイズを有する、請求項１５に記載の組成物。
【請求項２０】  前記無機粒子が１ナノメートル〜30ナノメートルのサイズを有する、請求項１５に記載の組成物。
【請求項２１】  前記改質剤微粒子が、無機粒子のサイズに比して１：15〜１：２のサイズ比を有する、請求項１５に記載の組成物。
【請求項２２】  前記改質剤微粒子が、無機粒子のサイズに比して１：50〜１：５のサイズ比を有する、請求項１５に記載の組成物。
【請求項２３】  前記改質剤微粒子が、無機粒子のサイズに比して１：15〜１：５のサイズ比を有する、請求項１５に記載の組成物。
【請求項２４】  請求項１記載の溶液より形成された硬化した被膜。
【請求項２５】  請求項１５記載の組成物より形成された硬化した被膜。
【請求項２６】  請求項１記載の溶液が被覆された基材。
【請求項２７】  請求項１５記載の組成物が被覆された基材。
【請求項２８】  請求項１記載の溶液から形成された硬化した物品。
【請求項２９】  請求項１５記載の組成物から形成された硬化した物品。
【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】  任意に感圧接着剤層に移行する移行性成分を含んでもよい結合可能な層および該結合可能な層の少なくとも１つの主面における感圧接着剤層を含有する、接着剤物品であって、該感圧接着剤層が
（１）実質的に結合可能な層と非相溶であるか、
（２）移行性成分を含む場合、実質的に移行性成分に耐性であるか、または
（３）移行性成分を含む場合、実質的に移行性成分と非相互作用性である、
接着剤物品。
【請求項２】  （ａ）結合可能な材料を提供する工程、
（ｂ）結合可能な層を形成する工程、
（ｃ）  （１）実質的に結合可能な層と非相溶であるか、
（２）移行性成分を含む場合、実質的に移行性成分に耐性であるかまたは、
（３）移行性成分を含む場合、実質的に移行性成分と非相互作用性である、
感圧接着剤を提供する工程、および
（ｄ）結合可能な層の少なくとも１つの主面に感圧接着剤の層を設ける工程を含む、接着剤物品の製造方法。
【手続補正書】
【提出日】平成19年10月5日(2007.10.5)
【手続補正１】
【補正対象書類名】明細書
【補正対象項目名】特許請求の範囲
【補正方法】変更
【補正の内容】
【特許請求の範囲】
【請求項１】
組成物にして、
ａ）酸化、熱、動的、光誘発および／またはオゾン誘発崩壊を受け易い天然または合成エラストマーと、
ｂ）安定剤として、少なくとも一種の次式Ｉ
【化１】
2003512494.tif 000001
［式中、
Ｒは炭素原子数４ないし２０のアルキル基、ヒドロキシル置換された炭素原子数４ないし２０のアルキル基；フェニル基、ベンジル基、α−メチルベンジル基、α，α−ジメチルベンジル基、シクロヘキシル基または−（ＣＨ2）qＣＯＯＲ3を表し、またｍが０を表す
場合、Ｒはさらに
【化２】
2003512494.tif 000002
を表すことができ、またｎが１を表しかつＲ4が水素原子を表す場合、Ｒはさらに
Ｒ2−Ｒ1Ｎ−ＣＨ2−ＣＨ（ＯＨ）−ＣＨ2−Ｓ（＝Ｏ）m−（ＣＨ2）x−または
Ｒ2−Ｒ1Ｎ−ＣＨ2−ＣＨ（ＯＨ）−ＣＨ2−Ｓ（＝Ｏ）m−ＣＨ2−ＣＨ2−（Ｏ−ＣＨ2−ＣＨ2）y−を表すことができ、
Ｒ1は水素原子、シクロヘキシル基または炭素原子数３ないし１２のアルキル基を表し、
Ｒ2は
【化３】
2003512494.tif 000003
を表し、
Ｒ3は炭素原子数１ないし１８のアルキル基を表し、
Ｒ4は水素原子または−ＣＨ2−ＣＨ（ＯＨ）−ＣＨ2−Ｓ（＝Ｏ）m−Ｒを表し、
Ｘは炭素原子数１ないし８のアルキル基を表し、
Ｙは炭素原子数１ないし８のアルキル基を表し、
ｍは０または１を表し、
ｎは１または２を表し、
ｑは１または２を表し、
ｘは２ないし６を表し、そして
ｙは１または２を表す。］で表される化合物を含む組成物。
【請求項２】
成分ａ）およびｂ）と並んで他の添加剤を含む、請求項１記載の組成物。
【請求項３】
次式Ｉ
【化４】
2003512494.tif 000004
［式中、
Ｒは炭素原子数４ないし２０のアルキル基、ヒドロキシル置換された炭素原子数４ないし２０のアルキル基；フェニル基、ベンジル基、α−メチルベンジル基、α，α−ジメチルベンジル基、シクロヘキシル基または−（ＣＨ2）qＣＯＯＲ3を表し、またｍが０を表す
場合、Ｒはさらに
【化５】
2003512494.tif 000005
を表すことができ、またｎが１を表しかつＲ4が水素原子を表す場合、Ｒはさらに
Ｒ2−Ｒ1Ｎ−ＣＨ2−ＣＨ（ＯＨ）−ＣＨ2−Ｓ（＝Ｏ）m−（ＣＨ2）x−または
Ｒ2−Ｒ1Ｎ−ＣＨ2−ＣＨ（ＯＨ）−ＣＨ2−Ｓ（＝Ｏ）m−ＣＨ2−ＣＨ2−（Ｏ−ＣＨ2−ＣＨ2）y−を表すことができ、
Ｒ1は水素原子、シクロヘキシル基または炭素原子数３ないし１２のアルキル基を表し、
Ｒ2は
【化６】
2003512494.tif 000006
を表し、
Ｒ3は炭素原子数１ないし１８のアルキル基を表し、
Ｒ4は水素原子または−ＣＨ2−ＣＨ（ＯＨ）−ＣＨ2−Ｓ（＝Ｏ）m−Ｒを表し、
Ｘは炭素原子数１ないし８のアルキル基を表し、
Ｙは炭素原子数１ないし８のアルキル基を表し、
ｍは０または１を表し、
ｎは１または２を表し、
ｑは１または２を表し、
ｘは２ないし６を表し、そして
ｙは１または２を表すが、但し、次式Ｉａ
【化７】
2003512494.tif 000007
で表される化合物を除く。］で表される化合物。
【手続補正書】
【提出日】平成19年2月22日(2007.2.22)
【手続補正１】
【補正対象書類名】明細書
【補正対象項目名】特許請求の範囲
【補正方法】変更
【補正の内容】
【特許請求の範囲】
【請求項１】  非重金属酸化物粒子と重金属酸化物とを含む略アモルファス状のクラスターを含み、かつ前記重金属酸化物が１００μｍ未満の平均直径を有する粒子である、歯科材料用充填材。
【請求項２】  請求項１記載の充填材と硬化性樹脂とを含む歯科材料。
【請求項３】  ａ）非重金属酸化物ゾルを重金属酸化物ゾルと混合する工程と、
ｂ）前記混合ゾルを乾燥した製品に乾燥する工程と、
ｃ）前記乾燥された製品を焼成する工程と、
ｄ）前記焼成された製品を機械加工する工程と、
を含む、請求項１記載の充填材を製造する方法。
【請求項４】  ｅ）前記乾燥された製品を表面修正する工程をさらに含む、請求項３記載の方法。
【請求項５】  ｆ）前記乾燥された製品を硬化性樹脂と混合する工程をさらに含む、請求項３記載の方法。
【請求項６】  ａ）歯の表面近く、あるいは歯の表面上に前記歯科材料を配置する工程と、
ｂ）前記歯科材料のトポグラフィを変化させる工程と、
ｃ）前記歯科材料を硬化させる工程と、
を含む、請求項２記載の歯科材料を使用する方法。
【請求項７】  ｄ）前記硬化樹脂の表面を仕上げ加工する工程をさらに含む、請求項６記載の方法。
【手続補正書】
【提出日】平成19年8月17日(2007.8.17)
【手続補正１】
【補正対象書類名】明細書
【補正対象項目名】特許請求の範囲
【補正方法】変更
【補正の内容】
【特許請求の範囲】
【請求項１】  ３重量％未満のスタイリングポリマーを含有するヘアトリートメント組成物であって、揮発性シリコーン０．１〜５重量％、並びにシリカ、架橋ポリマー、アルミナ、ケイ酸アルミニウム、および二酸化チタンなどのコロイド金属からなる群から選択される粒子状物質０．０１〜５．０重量％を含み、該粒子状物質が、７〜４０ｎｍの１次粒子サイズ最頻値（ｍｏｄａｌ  ｐｒｉｍａｒｙｐａｒｔｉｃｌｅ  ｓｉｚｅ）、および少なくとも４ＧＰａのヤング率を有し、組成物中の粒子状物質の会合は、粒子状物質中の粒子の５０％以上が１００ｎｍ未満の粒子サイズを有するものであることを特徴とする組成物。
【請求項２】  粒子状物質が、少なくとも６ＧＰａのヤング率を有する、請求項１に記載のヘアトリートメント組成物。
【請求項３】  シャンプーまたはコンディショナー組成物であるウォッシュオフ組成物である、請求項１または２に記載のヘアトリートメント組成物。
【請求項４】  ジェル、ムース、クリーム、ローション、エア注入式スタイリングフォームまたはスプレー組成物であるリーブオン組成物である、請求項１または２に記載のヘアトリートメント組成物。
【請求項５】  組成物重量の少なくとも０．０５重量％、好ましくは少なくとも０．１重量％の粒子状物質を含有する、請求項１から４のいずれか一項に記載のヘアトリートメント組成物。
【請求項６】  ３重量％未満、より好ましくは２重量％未満の粒子状物質を含有する、請求項１から５のいずれか一項に記載のヘアトリートメント組成物。
【請求項７】  粒子状物質が、少なくとも１０ＧＰａ、より好ましくは少なくとも３０ＧＰａ、および最も好ましくは５０〜９０ＧＰａの範囲のヤング率を有する、請求項１から６のいずれか一項に記載のヘアトリートメント組成物。
【請求項８】  粒子状物が、７〜２５ｎｍの粒子サイズ最頻値を有する、請求項１から７のいずれか一項に記載のヘアトリートメント組成物。
【請求項９】  組成物中の１次粒子間の会合が、組成物中の粒子状物の少なくとも７５％、および好ましくは少なくとも９５％の粒子が単分散１次粒子の形にあるか、または１００ｎｍ未満の会合粒子サイズを有するものである、請求項１から８のいずれか一項に記載のヘアトリートメント組成物。
【請求項１０】  粒子状物質が正または負に表面帯電しているシリカである、請求項１から８のいずれか一項に記載のヘアトリートメント組成物。
【請求項１１】  スタイリングポリマーを含有しない、請求項１から１０のいずれか一項に記載のヘアトリートメント組成物。
【請求項１２】  請求項１に記載のヘアトリートメント組成物を毛髪に塗布すること、および引き続き毛髪をスタイリングすることを含む毛髪をトリートする方法。
【請求項１３】  毛髪に腰を与えることまたは毛髪をスタイリングすることを目的とする、請求項１に記載のヘアトリートメント組成物の使用。
【手続補正書】
【提出日】平成19年10月23日(2007.10.23)
【手続補正１】
【補正対象書類名】明細書
【補正対象項目名】特許請求の範囲
【補正方法】変更
【補正の内容】
【特許請求の範囲】
【請求項１】  （ａ）硬化性樹脂と、
（ｂ）（ｉ）各々１００ナノメートル未満の平均粒子径を有する非重金属酸化物粒子および重金属酸化物粒子を含むとともに完全には高密度化されていない、ナノサイズ粒子の非晶質のクラスタおよび（ｉｉ）非凝集非重金属酸化物ナノサイズ粒子または非凝集重金属酸化物ナノサイズ粒子を含む充填剤とを含む歯科材料である材料。
【請求項２】  （ａ）硬化性樹脂と、
（ｂ）（ｉ）非重金属酸化物粒子および重金属酸化物粒子を含むとともに完全には高密度化されていないナノサイズ粒子の非晶質のクラスタ、（ｉｉ）シリカではない非凝集非重金属酸化物ナノサイズ粒子および（ｉｉｉ）ジルコニアではない非凝集重金属酸化物ナノサイズ粒子を含む充填剤とを含む歯科材料である材料。
【請求項３】  （ａ）硬化性樹脂を提供する工程と、（ｂ）請求項１の（ｂ）または請求項２の（ｂ）の充填剤粒子の粉末を提供する工程と、（ｃ）前記充填剤粒子を表面処理して、表面処理された充填剤粒子を生じさせる工程と、（ｄ）前記表面処理された充填剤粒子を前記硬化性樹脂と混合する工程とを含む歯科材料を製造する方法。
【手続補正書】
【提出日】平成19年2月21日(2007.2.21)
【手続補正１】
【補正対象書類名】明細書
【補正対象項目名】特許請求の範囲
【補正方法】変更
【補正の内容】
【特許請求の範囲】
【請求項１】  約３００ｎｍより小さい平均直径を有する非重金属酸化物粒子と、表面改質重金属酸化物と、硬化性樹脂とを含む歯科材料。
【請求項２】  ａ）表面改質剤を約３００ｎｍより小さい平均直径を有するシリカ粒子と混合する工程、
ｂ）酸表面改質剤を平均直径が約１００ｎｍより小さい重金属酸化物粒子と混合する工程、及び
ｃ）前記表面改質シリカ粒子及び表面改質重金属酸化物粒子を硬化性樹脂と混合する工程、を含む、歯科材料の製造方法。
【手続補正書】
【提出日】平成19年2月7日(2007.2.7)
【手続補正１】
【補正対象書類名】明細書
【補正対象項目名】特許請求の範囲
【補正方法】変更
【補正の内容】
【特許請求の範囲】
【請求項１】  シラン処理された表面を有する非凝集シリカ粒子を含む乾燥粒子形態の充填剤であって、その非凝集シリカ粒子の平均粒子径が約２００ｎｍ未満である、充填剤。
【請求項２】  請求項１に記載の乾燥粒子形態の充填剤の製造方法であって、シラン処理された表面を有する非凝集シリカ粒子の揮発性液体分剤体を乾燥する工程を含み、その非凝集シリカ粒子の平均粒子径が約２００ｎｍ未満である、充填剤の製造方法。
【請求項３】  硬化性樹脂中に、請求項１に記載の充填剤を、それに重金属酸化物を加えるか、または加えないで、分散させる工程を含む、充填剤の製造方法。
【請求項４】  歯科用物品の製造方法であって、請求項１に記載の充填剤を硬化性樹脂中に分散して、硬化性樹脂中に平均直径約２００ｎｍ未満を有する非集塊化、非凝集性のシリカ粒子が分散された分散体を含む組成物を形成する工程であって、前記組成物が少なくとも非集塊化、非凝集性のシリカ粒子を、少なくとも約４０重量％含む、工程、
前記組成物を硬化して、歯科用ミルブランク、歯科用補綴材料、矯正装置、人口歯冠、前方充填材、後方充填材、およびキャビティライナーからなる群から選択される歯科用物品を製造する工程、および
さらに前記組成物を硬化する前に、その組成物の形状を変化させる工程を有するか、またはこの工程を有さない、
歯科用物品の製造方法。
【請求項５】  組成物の製造方法であって、請求項１に記載の充填剤を硬化性樹脂中に分散して、硬化性樹脂中に平均直径約２００ｎｍ未満を有する非集塊化、非凝集性のシリカ粒子が分散された分散体を形成する工程、および
ヒュームドシリカを前記硬化性樹脂中に分散する工程であって、硬化後の前記組成物が約０．４未満の視覚不透明度を有する、工程、
を含む組成物の製造方法。
【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】（a）式（Ｉ）：
【化１】
2003512484.tif 000001
（式中、
Ｒ1は、Ｃ1〜Ｃ20アルキル；１個以上の酸素原子によって中断されたＣ2〜Ｃ20アルキル；Ｃ1〜Ｃ12アルコキシ；フェニル−Ｃ1〜Ｃ4アルキル；又は非置換か、若しくはＣ1〜Ｃ20アルキル、Ｃ1〜Ｃ12アルコキシ、ハロゲン、シクロペンチル、シクロヘキシル、Ｃ2〜Ｃ12アルケニル、１個以上の酸素原子によって中断されたＣ2〜Ｃ18アルキル、及び／又はフェニル−Ｃ1〜Ｃ4アルキルで置換されたフェニル；あるいはＲ1は、ビフェニリルであり、
Ｒ2は、基：
【化２】
2003512484.tif 000002
であるか、又はＲ1に与えられた意味の一つを有し；
Ｒ3とＲ4は、それぞれ他から独立して、Ｃ1〜Ｃ12アルキル、Ｃ1〜Ｃ12アルコキシ又はハロゲンであり；そして、
Ｒ5は、水素、Ｃ1〜Ｃ12アルキル、Ｃ1〜Ｃ12アルコキシ又はハロゲンである。）
の少なくとも１個のモノ又はビスアシルホスフィンオキシド、
（ｂ）少なくとも1個の分散剤、
（ｃ）水、
及び、場合により、
（ｄ）さらなる添加剤
を含む、水性で、貯蔵安定な、非沈降の懸濁液。
【請求項２】  成分（a）として、
ビス（２，６−ジメトキシベンゾイル）−２，４，４−トリメチルペンチルホスフィンオキシド、
ビス（２，４、６−トリメチルベンゾイル）−２，４−ジペンチルオキシフェニルホスフィンオキシド、
ビス（２，４、６−トリメチルベンゾイル）フェニルホスフィンオキシド又は
２，４、６−トリメチルベンゾイルジフェニルホスフィンオキシド
を含む、請求項１に記載の水性懸濁液。
【請求項３】  成分（ａ）１０〜８０部、成分（ｂ）１〜４０部及び全組成が１００部に達するのに十分な部数の成分（ｃ）を含む、請求項１に記載の水性懸濁液。
【請求項４】  成分（ｂ）として、無水マレイン酸、ポリビニルアルコール又は修飾されたポリアクリレートを基礎とするポリマーを含む、請求項１に記載の水性懸濁液。
【請求項５】  （ａ）式（Ｉ）：
【化５】
2003512484.tif 000003
（式中、Ｒ1、Ｒ2、Ｒ3、Ｒ4及びＲ5は、請求項１に記載されたとおりである。）
の少なくとも１個のモノ又はビスアシルホスフィンオキシド、
（ｂ）少なくとも1個の分散剤、
（ｃ）水、
及び、場合により、
（ｄ）さらなる添加剤
を含む、水性で、貯蔵安定な、非沈降の光開始剤の懸濁液の、
（１）成分（ａ）、（ｂ）及び（ｃ）並びに、場合により（ｄ）を、攪拌によって懸濁すること、
（２）懸濁液中の固形物質の粒子サイズがほぼ６０μmになるように生成した混合物を粗く粉砕すること、及び
（３）懸濁液中の固形物質の粒子サイズが１２μm以下になるように、１回以上の粉砕操作によって混合物を微細粉砕すること
による調製方法。
【請求項６】  （Ａ）少なくとも1個のエチレン不飽和の光重合性化合物、及び
（Ｂ）光開始剤として、請求項１に記載された懸濁液
を含む光重合可能組成物。
【請求項７】  成分（Ａ）及び（Ｂ）に付け加えて、さらなる添加剤（Ｃ）を含む請求項６に記載された光重合可能組成物。
【請求項８】  光開始剤として、エチレン不飽和二重結合を有する化合物の光重合化に有用な、請求項１に記載された水性懸濁液。
【請求項９】  表面塗料、印刷インキ、スクリーン印刷インキ、オフセット印刷インキ、フレキソ印刷インキ、レジスト材料又は画像記録物質の製造に有用な、請求項６に記載された光重合可能組成物。
【請求項１０】  請求項６に記載された組成物で、少なくとも一つの表面上を塗装された被膜化基材。
【手続補正書】
【提出日】平成19年8月15日(2007.8.15)
【手続補正１】
【補正対象書類名】明細書
【補正対象項目名】０００２
【補正方法】変更
【補正の内容】
【０００２】
特許文献１から、エラストマ材料からなる任意のブランクを製造する方法及び装置が公知である。コアを除去するために、製品は高い摩擦係数を有する敷物上に置かれ、好ましくは、横方向に溝が付いたゴムからなる、この敷物に、縦方向運動が強制される。更に、コアが、製品の被覆前に、適切な離型剤、例えばシリコーン溶液で被覆されることができること、及び製品の一定の拡大を達成するために、製品に圧縮空気が導入されることが記載されている。
【手続補正２】
【補正対象書類名】明細書
【補正対象項目名】０００３
【補正方法】変更
【補正の内容】
【０００３】
特許文献２には、曲管をマンドレル上で製造する装置が記載されており、曲りブランクはプッシングシリンダによってマンドレルに押込み被覆される。曲りブランクの後方の端面に気密に装着可能なプッシングシリンダによって達成されるのは、曲りブランクの、マンドレルへの押込み被覆の際に、ブランクの容積に含まれる空気が、プッシングシリンダの傍を通って逃げていかず、曲りブランクとマンドレルの間で、押込み被覆工程を容易にするエアクッションをもたらすことである。  
【特許文献１】    ＤＥ２７５０６４２Ｃ２
【特許文献２】    ＤＥ２１４０９５６Ｃ３
【特許文献３】    ＵＳ２９７４７１３
【特許文献４】    ＦＲ２６５３０５６
【特許文献５】    ＵＳ２３６１０２６
【特許文献６】    ＵＳ１８０９２６０
【特許文献７】    ＵＳ２６６３９０２
【特許文献８】    ＧＢ４４９３０１
【特許文献９】    ＵＳ６０２２４４５
【特許文献１０】    ＦＲ‐Ａ‐２６５３０５６
【特許文献１１】    ＵＳ２３６１０２６
【特許文献１２】    ＵＳ１８０９２６０
【特許文献１３】    ＵＳ２６６３９０２
【発明の開示】
【発明が解決しようとする課題】
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
ウェブ・サービスを表示するための方法であって、
前記ウェブ・サービスの記述についてのデータ・モデルを生成するステップ（２０４）と、
前記データ・モデルにパースペクティブ・ビジタを適用するステップ（２０８）であって、前記パースペクティブ・ビジタは予め選択されたドメインに対応する、ステップと、
前記パースペクティブ・ビジタを適用するステップに応答して、前記予め選択されたドメインに関連した前記ウェブ・サービスのパースペクティブを表示するステップ（２１０）であって、前記パースペクティブ・ビジタは、前記データ・モデルの要素上で実行される動作をカプセル化するためのビジタ・パターンを有する、ステップと、
を備える、方法。
【請求項２】
前記データ・モデルにパースペクティブ・ビジタを適用するステップを繰り返すステップ（２０８）と、
所定のドメイン集合の１つに対応して、各パースペクティブごとに前記ウェブ・サービスの前記パースペクティブを表示するステップ（２１０）と、
を更に備える、請求項１に記載の方法。
【請求項３】
前記データ・モデルは、前記ウェブ・サービスの動作に対応する少なくとも１つのノード
（４０８）と、動作に対応するノードの少なくとも１つの子ノード（４１０、４１２、４１４）とを含むデータ構造を有し、前記子ノードは前記ウェブ・サービスの入力および出力の一方に対応する、請求項１に記載の方法。
【請求項４】
前記パースペクティブ・ビジタを適用するステップは、
前記少なくとも１つのノードおよび前記少なくとも１つの子ノードを前記パースペクティブ・ビジタに渡すステップ（５５８）と、
前記渡されたノードを表す対応するパースペクティブを生成するために前記予め選択されたドメインに対応して前記パースペクティブを取り込むステップ（５６０）と、
を更に含む、請求項３に記載の方法。
【請求項５】
前記パースペクティブを表示するステップに応答して、ユーザ入力サンプル・データを受信するステップ（７０４）と、
前記パースペクティブおよび前記サンプル・データを用いて前記ウェブ・サービスをコールするウェブ・ページを実行するステップ（７１０）と、
を更に備える、請求項１に記載の方法。
【請求項６】
コンピュータが有する機械読み取り可能保存媒体に備えられた、ウェブ・サービスを表示するためのコンピュータ・プログラムであって、前記コンピュータに、
前記ウェブ・サービスの記述についてのデータ・モデルを生成するステップ（２０４）と、
前記データ・モデルにパースペクティブ・ビジタを適用するステップ（２０８）であって、前記パースペクティブ・ビジタは予め選択されたドメインに対応する、ステップと、
前記パースペクティブ・ビジタを適用するステップに応答して、前記予め選択されたドメインに関連した前記ウェブ・サービスのパースペクティブを表示するステップ（２１０）であって、前記パースペクティブ・ビジタは、前記データ・モデルの要素上で実行される動作をカプセル化するためのビジタ・パターンを有する、ステップと、
を実行させるためのコンピュータ・プログラム。
【請求項７】
ウェブ・サービスを表示するためのデータ処理システムであって、
前記ウェブ・サービスの記述についてデータ・モデルを生成する（２０４）ために動作可能な回路と、
前記データ・モデルにパースペクティブ・ビジタを適用する（２０８）ために動作可能な回路であって、前記パースペクティブ・ビジタは予め選択されたドメインに対応する、回路と、
前記パースペクティブ・ビジタを適用することに応答して、前記予め選択されたドメインに関連した前記ウェブ・サービスのパースペクティブを表示する（２１０）ために動作可能な回路であって、前記パースペクティブ・ビジタは、前記データ・モデルの要素上で実行される動作をカプセル化するためのビジタ・パターンを有する、回路と、
を備える、システム。
【請求項８】
前記データ・モデルにパースペクティブ・ビジタを適用する動作を繰り返し（２０８）、
所定のドメイン集合の１つに対応して、各パースペクティブごとに前記ウェブ・サービスの前記パースペクティブを表示する（２１０）
ために動作可能な回路を更に備える、請求項７に記載のシステム。
【請求項９】
前記データ・モデルは、前記ウェブ・サービスの動作に対応する少なくとも１つのノード（４０８）と、動作に対応するノードの少なくとも１つの子ノード（４１０、４１２、４１４）とを含むデータ構造を有し、前記子ノードは前記ウェブ・サービスの入力および出力の一方に対応する、請求項７に記載のシステム。
【請求項１０】
前記パースペクティブ・ビジタを適用するために動作可能な回路は、
前記少なくとも１つのノードおよび前記少なくとも１つの子ノードを前記パースペクティブ・ビジタに渡す（５５８）ために動作可能な回路と、
前記渡されたノードを表す対応するパースペクティブを生成するために前記予め選択されたドメインに対応して前記パースペクティブを取り込む（５６０）ために動作可能な回路と、
を更に含む、請求項９に記載のシステム。
【請求項１１】
前記パースペクティブを表示するステップに応答して、ユーザ入力サンプル・データを受信する（７０４）ために動作可能な回路と、
前記パースペクティブおよび前記サンプル・データを用いて前記ウェブ・サービスをコールするウェブ・ページを実行する（７１０）ために動作可能な回路と、
を更に備える、請求項７に記載のシステム。